(57)【要約】【課題】本考案は、極めて実用性に秀れて画期的なクリーニング品収納部付き受け渡し台を提供することを目的とするものである。【解決手段】クリーニング品の受け渡し場所に設置される受け渡し台であって、内部に所定容量の空間Ｓを有する台本体１を設け、この台本体１の前記空間Ｓ内に仕切り体２を設けて、クリーニング処理前のクリーニング品を収納する処理前品収納部３と、クリーニング処理済みのクリーニング品を収納する処理済品収納部４とを前記空間Ｓ内に設けたものである。【選択図】　　　　図３
0003097530.tif 000002
【実用新案登録請求の範囲】
【請求項１】
クリーニング品の受け渡し場所に設置される受け渡し台であって、内部に所定容量の空間を有する台本体を設け、この台本体の前記空間内に仕切り体を設けて、クリーニング処理前のクリーニング品を収納する処理前品収納部と、クリーニング処理済みのクリーニング品を収納する処理済品収納部とを前記空間内に設けたことを特徴とするクリーニング品収納部付き受け渡し台。
【請求項２】
クリーニング品の受け渡し場所に設置される受け渡し台であって、正面壁体、左側壁体、右側壁体、天体及び底体とから成り、内部に所定容量の空間を有するとともに背面開口部を有する台本体を設け、この台本体の前記空間内に仕切り体を設けて、クリーニング処理前のクリーニング品を収納する処理前品収納部と、クリーニング処理済みのクリーニング品を収納する処理済品収納部とを前記空間内に設けたことを特徴とするクリーニング品収納部付き受け渡し台。
【請求項３】
前記台本体の正面壁体と天体と底体との間に板状の仕切り体を架設状態に設けて、クリーニング処理前のクリーニング品を収納する処理前品収納部と、クリーニング処理済みのクリーニング品を収納する処理済品収納部とを前記空間内に設けたことを特徴とする請求項２記載のクリーニング品収納部付き受け渡し台。
【請求項４】
前記台本体の正面壁体に開閉扉付きのクリーニング品導入部を設け、このクリーニング品導入部を前記処理前品収納部に連通状態に設けたことを特徴とする請求項２，３のいずれか１項に記載のクリーニング品収納部付き受け渡し台。
【請求項５】
前記クリーニング品導入部の開閉扉に該開閉扉の閉塞状態を保持するロック機構を設けたことを特徴とする請求項４記載のクリーニング品収納部付き受け渡し台。
【請求項６】
前記処理前品収納部に紫外線殺菌灯を配設したことを特徴とする請求項１〜５のいずれか１項に記載のクリーニング品収納部付き受け渡し台。
【請求項７】
クリーニング品の受け渡し場所に設置される受け渡し台であって、内部に所定容量の空間を有する台本体を設け、この台本体の前記空間内にクリーニング処理前のクリーニング品を収納する処理前品収納部を設け、この処理前品収納部に紫外線殺菌灯を配設したことを特徴とするクリーニング品収納部付き受け渡し台。
【考案の詳細な説明】
【０００１】
【考案の属する技術分野】
本考案は、クリーニング品収納部付き受け渡し台に関するものである。
【０００２】
【従来の技術及び考案が解決しようとする課題】
従来のクリーニング品受け渡しサービスを行う店舗では、例えば店舗内においてクリーニング処理済みのクリーニング品が利用客から見える位置に吊り下げられているなど雑然とした外観であるケースがほとんどであり、また、クリーニング処理前のクリーニング品においても利用客が見える位置に一時的であっても放置される場合が往々にしてあり、衛生的、美感的に問題点があった。
【０００３】
本考案は、従来のクリーニング品受け渡しサービスを行う店舗が抱えている問題点を解決し、店舗内の良好な衛生状態及び美感を保つことができ、しかも、従来からクリーニング品受け渡しサービスを行いにくいとされてきた業種（場所）においてもこれを簡易に実現し得る画期的なクリーニング品収納部付き受け渡し台を提供するものである。
【０００４】
【課題を解決するための手段】
添付図面を参照して本考案の要旨を説明する。
【０００５】
クリーニング品の受け渡し場所に設置される受け渡し台であって、内部に所定容量の空間Ｓを有する台本体１を設け、この台本体１の前記空間Ｓ内に仕切り体２を設けて、クリーニング処理前のクリーニング品を収納する処理前品収納部３と、クリーニング処理済みのクリーニング品を収納する処理済品収納部４とを前記空間Ｓ内に設けたことを特徴とするクリーニング品収納部付き受け渡し台に係るものである。
【０００６】
また、クリーニング品の受け渡し場所に設置される受け渡し台であって、正面壁体１ａ、左側壁体１ｂ、右側壁体１ｃ、天体１ｄ及び底体１ｅとから成り、内部に所定容量の空間Ｓを有するとともに背面開口部１ｆを有する台本体１を設け、この台本体１の前記空間Ｓ内に仕切り体２を設けて、クリーニング処理前のクリーニング品を収納する処理前品収納部３と、クリーニング処理済みのクリーニング品を収納する処理済品収納部４とを前記空間Ｓ内に設けたことを特徴とするクリーニング品収納部付き受け渡し台に係るものである。
【０００７】
また、前記台本体１の正面壁体１ａと天体１ｄと底体１ｅとの間に板状の仕切り体２を架設状態に設けて、クリーニング処理前のクリーニング品を収納する処理前品収納部３と、クリーニング処理済みのクリーニング品を収納する処理済品収納部４とを前記空間Ｓ内に設けたことを特徴とする請求項２記載のクリーニング品収納部付き受け渡し台に係るものである。
【０００８】
また、前記台本体１の正面壁体１ａに開閉扉５付きのクリーニング品導入部６を設け、このクリーニング品導入部６を前記処理前品収納部３に連通状態に設けたことを特徴とする請求項２，３のいずれか１項に記載のクリーニング品収納部付き受け渡し台に係るものである。
【０００９】
また、前記クリーニング品導入部６の開閉扉５に該開閉扉５の閉塞状態を保持するロック機構を設けたことを特徴とする請求項４記載のクリーニング品収納部付き受け渡し台に係るものである。
【００１０】
また、前記処理前品収納部３に紫外線殺菌灯７を配設したことを特徴とする請求項１〜５のいずれか１項に記載のクリーニング品収納部付き受け渡し台に係るものである。
【００１１】
また、クリーニング品の受け渡し場所に設置される受け渡し台であって、内部に所定容量の空間Ｓを有する台本体１を設け、この台本体１の前記空間Ｓ内にクリーニング処理前のクリーニング品を収納する処理前品収納部３を設け、この処理前品収納部３に紫外線殺菌灯７を配設したことを特徴とするクリーニング品収納部付き受け渡し台に係るものである。
【００１２】
【考案の実施の形態】
好適と考える本考案の実施の形態（考案をどのように実施するか）を、図面に基づいてその作用効果を示して簡単に説明する。
【００１３】
例えばクリーニング品受け渡しサービスを行いたい場所（クリーニング店に限らず、例えばスーパーやコンビスストアなどの店舗）に本考案に係る台本体１を設置する。
【００１４】
具体的にクリーニング品受け渡しサービスを行う際には、例えばクリーニング処理前のクリーニング品は台本体１の処理前品収納部３に収納されることで受け付けが行われ、クリーニング処理後、このクリーニング処理済みのクリーニング品を処理済品収納部４に収納し、利用客に渡すまでこの処理済品収納部４内にて保管することができる。
【００１５】
また、クリーニング処理済のクリーニング品を利用客に渡したり、代金の支払いなどの手続きは台本体１上で行われることになり、台本体１はレジスターを設置する所謂カウンターとしての機能を発揮する。
【００１６】
従って、従来のクリーニング品受け渡しサービスを行う店舗が抱えている問題点を解決し、クリーニング品を見えにくい状態で管理することができるから、店舗内の衛生状態及び美感を良好に保つことができ、しかも、従来からクリーニング品受け渡しサービスを行いにくいとされてきた業種（場所）においてもこれを簡易に実現し得ることになる。
【００１７】
また、台本体１を構成する正面壁体１ａと天体１ｄと底体１ｅとの間に板状の仕切り体２を架設状態に設けて、クリーニング処理前のクリーニング品を収納する処理前品収納部３と、クリーニング処理済みのクリーニング品を収納する処理済品収納部４とを前記空間Ｓ内に設けた場合には、台本体１の空間Ｓ内を確実に仕切ることで良好な衛生状態が得られることになる。
【００１８】
また、台本体１の正面壁体１ａに開閉扉５付きのクリーニング品導入部６を設け、このクリーニング品導入部６を処理前品収納部３に連通状態に設けた場合には、例えば利用客は開閉扉５を開放させてクリーニング品導入部６から処理前品収納部３にクリーニング処理前のクリーニング品を導入することができ、受け付け作業が迅速且つ良好に行われることになる。
【００１９】
また、クリーニング品導入部６の開閉扉５に該開閉扉５の閉塞状態を保持するロック機構を設けた場合には、例えば異物が導入されるのを防止するなど、何でも受け付けるのではなくサービス内容に応じた受け付けが行い易くなる。
【００２０】
また、処理前品収納部３に紫外線殺菌灯７を配設した場合には、見た目の清潔感だけでなく、実際に良好な衛生状態が簡易且つ確実に得られることになる。
【００２１】
【実施例】
本考案の具体的な実施例について図面に基づいて説明する。
【００２２】
本実施例は、クリーニング専門店は勿論、スーパーやコンビニエンスストアなどの所謂取次店などのクリーニング品８の受け渡し場所に設置される受け渡し台である。尚、本明細書では、クリーニング処理前の品物８ａ及びクリーニング処理済の品物８ｂを総称してクリーニング品８としている。
【００２３】
具体的には、台本体１は、図１，２に図示したように適宜な金属板製の正面壁体１ａ、左側壁体１ｂ、右側壁体１ｃ、天体１ｄ及び底体１ｅをボックス状（カウンター形状）に連設したものであり、内部に所定容量の空間Ｓを有するとともに背面開口部１ｆを有するように構成されている。
【００２４】
この背面開口部１ｆには三枚のスライド扉９が開閉自在に設けられている。
【００２５】
具体的には、スライド扉９は、後述する処理前品収納部３の後方位置を開閉する第一開閉扉９ａと、処理済品収納部４の後方位置を開閉する第二開閉扉９ｂ及び第三開閉扉９ｃとで構成されており、この処理前品収納部３の第一開閉扉９ａは、開放時に処理済品収納部４に触れず、一方、処理済品収納部４の第二開閉扉９ｂ及び第三開閉扉９ｃは開放時に処理前品収納部３に触れない位置関係となるように設けられている。
【００２６】
従って、水平回動するタイプの扉と異なり狭いスペースでも設置が可能であり、しかも、非常に衛生上秀れた構成と言える。
【００２７】
また、台本体１は、図３，４に図示したようにその空間Ｓ内にして正面壁体１ａと天体１ｄと底体１ｅとの間に金属板製の仕切り体２を架設状態に設けており、当該空間Ｓ内は、クリーニング処理前のクリーニング品を収納する処理前品収納部３と、クリーニング処理済みのクリーニング品を収納する処理済品収納部４とに区画されている。尚、台本体１は、図示した形状のものに限られるものではなく、しかも、処理前品収納部３と処理済品収納部４とは必ずしも隣接状態に設けられる必要はなく、要は完全に区画されていれば良い。
【００２８】
処理前品収納部３は、図４，５に図示したようにその天体１ｄの裏面所定位置にして後述するクリーニング品導入部６との対向位置に紫外線殺菌灯７が配設されており、この紫外線殺菌灯７はスイッチ１０を押し操作することでＯＮ・ＯＦＦすることができる。尚、処理前品収納部３内は白色系の塗料で塗装してあり、白色系の塗料は紫外線殺菌灯７の紫外線をよく反射して隅々まで殺菌効果を行き渡らせるように構成されており、白色系の塗料には酸化チタンが含まれていて紫外線殺菌灯７の紫外線で空気中の酸素をオゾンに変える働きをし殺菌の効率を高め得るものである。符号１１は良好な光照射を可能とし且つ外部への紫外線の放出を可及的に抑制する光反射板、１２は配線である。
【００２９】
この紫外線殺菌灯７による殺菌は、薬剤による殺菌、消毒に比べて簡易に使え、菌種の別無く効果を発揮する、耐性菌の発生の危険が少ない、処理前品収納部３を薬剤で汚染しないなどの利点があり、処理前品収納部３を殺菌するものとしては最適と言える。尚、紫外線殺菌灯７の紫外線は眼に有害である為、必要最小限の３０秒で消灯するよう設定されている。
【００３０】
処理済品収納部４は、図４に図示したようにその内部にして仕切り体２と右側壁体１ｃとの上部所定位置間に棒材１３が架設されており、この棒材１３をクリーニング処理済みのクリーニング品を吊り下げるための吊下部として構成されている。
【００３１】
また、台本体１は、その正面部にクリーニング品導入部６が設けられている。
【００３２】
このクリーニング品導入部６は、図４，５に図示したように正面壁体１ａの所定位置にして処理前品収納部３が設けられる側の位置に正面視方形状の開口部１４を形成し、この開口部１４に、方形状の閉塞板５ａと該閉塞板５ａの左右に立ち上がる扇形状の左右側板５ｂ，５ｃとから成る開閉扉５を擺動自在に枢着して構成されている。
【００３３】
従って、この開閉扉５の正面に設けた摘子１５を摘んで開放すると開口部１４が開放し、この開口部１４からクリーニング品８を投入することができる。
【００３４】
また、開閉扉５には該開閉扉５の閉塞状態を保持するロック機構が設けられている。
【００３５】
従って、紫外線殺菌灯７を点灯している際、開閉扉５をロックすることで紫外線が利用者の目に入ることを防止することができ、この他にも異物の導入の防止や盗難の防止にも機能することになる。
【００３６】
本実施例は上述のように構成したから、例えばクリーニング品受け渡しサービスを行いたい場所（クリーニング店に限らず、例えばスーパーやコンビスストアなどの店舗）に本実施例に係る台本体１を設置する。
【００３７】
クリーニング品受け渡しサービスを行う際には、例えばクリーニング処理前のクリーニング品を必要事項を記入した伝票等と共にカバン等に入れてクリーニング品導入部６から処理前品収納部３に収納する。この際、店員は開閉扉５のロック機構を解除し、導入が完了した後再びロック操作を行う。
【００３８】
この処理前品収納部３に収納された品物は、随時取り出して集荷袋に入れて所定の場所に保管される。
【００３９】
この集荷袋にまとめられたカバン等に入った品物はそのままクリーニング工場に運ばれクリーニング札を取り付けた後クリーニング処理され、このクリーニング処理済のクリーニング品は再びカバン等に入れられて、受け付けが行われた店舗に搬送されて台本体１の処理済品収納部４に収納される。
【００４０】
仕上がり日に利用客が取りに来たら店員は処理済品収納部４に収納されているクリーニング処理済のクリーニング品を取り出して渡す。尚、店員は一日に最低一回、処理前品収納部３内が空になった状態で処理前品収納部３を３０秒間紫外線殺菌灯７を点灯させて殺菌を行う。
【００４１】
また、クリーニング処理済のクリーニング品を利用客に渡したり、代金の支払いなどの手続きは台本体１の天体１上で行われることになり、台本体１はレジスター１６を設置する所謂レジカウンターとしての機能を発揮する。
【００４２】
よって、本実施例によれば、従来のクリーニング品受け渡しサービスを行う店舗が抱えている問題点を解決し、クリーニング品を見えにくい状態で管理することができるから、店舗内の衛生状態及び美感を良好に保つことができ、しかも、従来からクリーニング品受け渡しサービスを行いにくいとされてきた業種（場所）においてもこれを簡易に実現し得ることになる。
【００４３】
また、本実施例は、台本体１の正面壁体１ａと天体１ｄと底体１ｅとの間に板状の仕切り体２を架設状態に設けて、クリーニング処理前のクリーニング品を収納する処理前品収納部３と、クリーニング処理済みのクリーニング品を収納する処理済品収納部４とを前記空間Ｓ内に設けたから、台本体１の空間Ｓ内を確実に仕切ることで良好な衛生状態が得られることになる。
【００４４】
また、本実施例は、台本体１の正面壁体１ａに開閉扉５付きのクリーニング品導入部６を設け、このクリーニング品導入部６を処理前品収納部３に連通状態に設けたから、例えば利用客は開閉扉５を開放させてクリーニング品導入部６から処理前品収納部３にクリーニング処理前のクリーニング品を導入することができ、受け付け作業が迅速且つ良好に行われることになる。
【００４５】
また、本実施例は、クリーニング品導入部６の開閉扉５に該開閉扉５の閉塞状態を保持するロック機構を設けたから、例えば異物が導入されるのを防止するなど、何でも受け付けるのではなくサービス内容に応じた受け付けが行い易くなる。
【００４６】
また、本実施例は、処理前品収納部３に紫外線殺菌灯７を配設したから、見た目の清潔感だけでなく、実際に良好な衛生状態が簡易且つ確実に得られることになる。
【００４７】
尚、本考案は、本実施例に限られるものではなく、各構成要件の具体的構成は適宜設計し得るものである。
【００４８】
【考案の効果】
本考案は上述のように構成したから、従来のクリーニング品受け渡しサービスを行う店舗が抱えている問題点を解決し、クリーニング品を見えにくい状態で管理することができるから、店舗内の衛生状態及び美感を良好に保つことができ、しかも、従来からクリーニング品受け渡しサービスを行いにくいとされてきた業種（場所）においてもこれを簡易に実現し得ることになるなど極めて商品価値の高い画期的なクリーニング品収納部付き受け渡し台となる。
【００４９】
また、請求項２記載の考案においては、具体的な構造から良好な効果が得られることになるなど極めて商品価値の高い画期的なクリーニング品収納部付き受け渡し台となる。
【００５０】
また、請求項３記載の考案においては、台本体の空間内を確実に仕切ることで良好な衛生状態が得られることになるなど極めて商品価値の高い画期的なクリーニング品収納部付き受け渡し台となる。
【００５１】
また、請求項４記載の考案においては、クリーニング処理前のクリーニング品を導入することができ、受け付け作業が迅速且つ良好に行われることになるなど極めて商品価値の高い画期的なクリーニング品収納部付き受け渡し台となる。
【００５２】
また、請求項５記載の考案においては、例えば異物が導入されるのを防止するなど、何でも受け付けるのではなくサービス内容に応じた受け付けが行い易くなるなど極めて商品価値の高い画期的なクリーニング品収納部付き受け渡し台となる。
【００５３】
また、請求項６記載の考案においては、見た目の清潔感だけでなく、実際に良好な衛生状態が簡易且つ確実に得られることになるなど極めて商品価値の高い画期的なクリーニング品収納部付き受け渡し台となる。
【００５４】
また、請求項７記載の考案においては、非常に衛生状態に秀れることになるなど極めて商品価値の高い画期的なクリーニング品収納部付き受け渡し台となる。
【図面の簡単な説明】
【図１】本実施例の使用状態を示す斜視図である。
【図２】本実施例の使用状態を示す斜視図である。
【図３】本実施例に係る要部を示す斜視図である。
【図４】本実施例に係る要部を示す背面図である。
【図５】本実施例に係る要部を示す側断面図である。
【符号の説明】
１　台本体
１ａ　正面壁体
１ｂ　左側壁体
１ｃ　右側壁体
１ｄ　天体
１ｅ　底体
１ｆ　背面開口部
２　仕切り体
３　処理前品収納部
４　処理済品収納部
５　開閉扉
６　クリーニング品導入部
７　紫外線殺菌灯
【図１】
0003097530.tif 000003
【図２】
0003097530.tif 000004
【図３】
0003097530.tif 000005
【図４】
0003097530.tif 000006
【図５】
0003097530.tif 000007